(57)【要約】本発明は、受信した音声信号に基づいて再生された音声が、クリア音声ゾーンで理解可能であり、音声マスキング・ゾーンでは理解不能となるように、音声ＳＰを再生するように構成された音声再生装置に関し、音声信号を受信する音声処理モジュールと、一個以上の音声スピーカ信号に基づいて音声を再生する複数の音声スピーカのセットと、一つ以上のマスク音スピーカ信号に基づいて、音声マスキング・ゾーンにおける音声をマスキングするマスク音を生成する複数のマスク音スピーカのセットとを備え、音声処理モジュールは、音声信号のスペクトルおよび／または時間的特性に基づいて、一つ以上の解析信号を生成する音声信号解析モジュールを備え、音声処理モジュールは、一つ以上の解析信号に基づいて、一つ以上のマスク音信号を生成するマスク音生成部を備えている。
2018506080.tif 000002
【特許請求の範囲】
【請求項１】
受信した音声信号（ＳＰＳ）に基づいて再生された音声（ＳＰ）が、クリア音声ゾーン（ＣＳＺ）で理解可能であり、音声マスキング・ゾーン（ＭＳＺ）では理解不能となるように、音声（ＳＰ）を再生する音声再生装置（１）であって、
音声信号（ＳＰＳ）を受信する音声処理モジュール（２）と、
一個以上の音声スピーカ信号（Ｓ）に基づいて音声ＳＰを再生する複数の音声スピーカ（４）のセット（３）と、
一つ以上のマスク音スピーカ信号（Ｍ.１、Ｍ.２、・・・、Ｍｍ）に基づいて、音声マスキング・ゾーン（ＭＳＺ）におけるスピーチ（ＳＰ）をマスキングするマスク音（ＭＮ）を生成する複数のマスク音スピーカ（６）のセット（５）とを備え、
前記音声処理モジュール（２）は、前記音声信号（ＳＰＳ）に基づいて一つ以上の音声スピーカ信号（Ｓ.１・・・Ｓ.ｎ）を生成する音声スピーカ信号生成部（７）を備え、
前記音声処理モジュール（２）は、前記音声信号（ＳＰＳ）のスペクトル的および時間的の少なくともいずれか一方の特性に基づいて、一つ以上の解析信号（ＡＳ）を生成する音声信号解析モジュール（８）を備え、
前記音声処理モジュール（２）は、前記一つ以上の解析信号（ＡＳ）に基づいて、一つ以上のマスク音信号（ＭＳ.１、ＭＳ.２、ＭＳ.３、ＭＳ.４）を生成するマスク音生成部（９）を備え、
前記音声処理モジュール（２）は、前記一つ以上のマスク音信号（ＭＳ）に基づいて、一つ以上のマスク音スピーカ信号（Ｍ.１、Ｍ.２・・・・Ｍ.ｍ）を生成するマスク音スピーカ信号生成部（１０）を備えることを特徴とする音声再生装置。
【請求項２】
音声スピーカ信号生成部（７）は、音声（ＳＰ）の空間キューを制御するために、複数の音声スピーカ信号（Ｓ.１・・・Ｓ.ｎ）を生成し、前記複数の音声スピーカ信号（Ｓ.１・・・Ｓ.ｎ）のうちの各音声スピーカ信号（Ｓ.１・・・Ｓ.ｎ）の特性を独立して制御することを特徴とする請求項１に記載の音声再生装置。
【請求項３】
マスク音スピーカ信号生成部（１０）は、マスク音（ＭＮ）の空間キューを制御するために、複数のマスク音スピーカ信号（Ｍ.１、Ｍ.２・・・Ｍ.ｍ）を生成し、前記複数のマスク音スピーカ信号（Ｍ.１、Ｍ.２・・・Ｍ.ｍ）の各マスク音スピーカ信号（Ｍ.１、Ｍ.２・・・Ｍ.ｍ）の特性を独立して制御することを特徴とする請求項１または２に記載の音声再生装置。
【請求項４】
前記マスク音生成部（９）は、未処理のマスク音信号（ＲＭＳ.１、ＲＭＳ.２、ＲＭＳ.３、ＲＭＳ.４）を供給するように構成された複数のマスク音源（１１.１、１１.２、１１.３、１１.４）と、複数の未処理マスク音信号適応モジュール（１２.１、１２.２、１２.３、１２.４）とを備え、前記未処理マスク音信号適応モジュール（１２.１、１２.２、１２.３、１２.４）は、それぞれ一つの前記マスク音源（１１.１、１１.２、１１.３、１１.４）に割り当てられており、前記割り当てられた未処理マスク音信号適応モジュール（１２.１、１２.２、１２.３、１２.４）は、一つ以上のマスク音信号（ＭＳ.１、ＭＳ.２、ＭＳ.３、ＭＳ.４）のうちの一つを生成するために、解析信号（ＡＳ）に基づいて、マスク音源（１１.１、１１.２、１１.３、１１.４）の未処理マスク音信号（ＲＭＳ.１、ＲＭＳ.２、ＲＭＳ.３、ＲＭＳ.４）を適応させるように構成されていることを特徴とする請求項１〜３のいずれか１項に記載の音声再生装置。
【請求項５】
前記少なくとも一つのマスク音源（１１.１、１１.２、１１.３、１１.４）は、未処理のミュージック・マスク音信号（ＲＭＳ.１）を供給するように構成されたミュージック・ソース（１１.１）を備え、前記割り当てられた未処理マスク音信号適応モジュール（１２.１）は、一つ以上のマスク音信号（ＭＳ.１、ＭＳ.２、ＭＳ.３、ＭＳ.４）のうちの一つのマスク音信号（ＭＳ.１）を生成するために、解析信号（ＡＳ）に基づいて、前記未処理のミュージック・マスク音信号（ＲＭＳ.１）を適応させるように構成されていることを特徴とする請求項１〜４のいずれか１項に記載の音声再生装置。
【請求項６】
前記少なくとも一つのマスク音源（１１.１、１１.２、１１.３、１１.４）は、未処理の連続ノイズ・マスク音信号（ＲＭＳ.２）を供給するように構成された連続ノイズ・ソース（１１.２）を備え、前記割り当てられた未処理マスク音信号適応モジュール（１２.２）は、一つ以上のマスク音信号（ＭＳ.１、ＭＳ.２、ＭＳ.３、ＭＳ.４）のうちの一つのマスク音信号（ＭＳ.２）を生成するために、解析信号（ＡＳ）に基づいて、前記未処理の連続ノイズ・マスク音信号（ＲＭＳ.２）を適応させるように構成されていることを特徴とする請求項４または５に記載の音声再生装置。
【請求項７】
前記少なくとも一つのマスク音源（１１.１、１１.２、１１.３、１１.４）は、未処理のダイナミック・ノイズ・マスク音信号（ＲＭＳ.３）を供給するように構成されたダイナミック・ノイズ・ソース（１１.３）を備え、前記割り当てられた未処理マスク音信号適応モジュール（１２.３）は、一つ以上のマスク音信号（ＭＳ.１、ＭＳ.２、ＭＳ.３、ＭＳ.４）のうちの一つのマスク音信号（ＭＳ.３）を生成するために、解析信号（ＡＳ）に基づいて、前記未処理のダイナミック・ノイズ・マスク音信号（ＲＭＳ.３）を適応させるように構成されていることを特徴とする請求項４〜６のいずれか１項に記載の音声再生装置。
【請求項８】
前記音声処理モジュール（２）は、音声信号（ＳＰＳ）に基づいて適応音声信号（ＡＳＰＳ）を供給するように構成された適合音声処理モジュール（１３）を備え、前記音声スピーカ信号生成部（７）は、前記適応音声信号（ＡＳＡＰ）に基づいて、一つ以上の音声スピーカ信号（Ｓ.１・・・Ｓ.ｎ）を生成するように構成されていることを特徴とする請求項１〜７のいずれか１項に記載の音声再生装置。
【請求項９】
前記音声処理モジュール（２）は、複数の音声スピーカ（４.１・・・４.ｎ）のセット（３）の構成、および、複数のマスク音スピーカ（６.１、６.２・・・６.ｍ）のセット（５）の構成の少なくともいずれか一方に関する情報を含む構成信号（ＳＩ）を受信するように構成されていることを特徴とする請求項１〜８のいずれか１項に記載の音声再生装置。
【請求項１０】
前記マスク音生成部（９）は、天気条件に関する情報を含む天気信号（ＷＳＩ）を受信し、前記天気信号（ＷＳＩ）に基づいて、一つ以上のマスク音信号（ＭＳ.１、ＭＳ.２、ＭＳ.３、ＭＳ.４）を生成するように構成されていることを特徴とする請求項１〜９のいずれか１項に記載の音声再生装置。
【請求項１１】
前記マスク音生成部（９）は、光条件に関する情報を含む光条件信号（ＬＳＩ）を受信し、前記光条件信号（ＬＳＩ）に基づいて、一つ以上のマスク音信号（ＭＳ.１、ＭＳ.２、ＭＳ.３、ＭＳ.４）を生成するように構成されていることを特徴とする請求項１〜１０のいずれか１項に記載の音声再生装置。
【請求項１２】
前記マスク音生成部（９）は、日付および時間の少なくともいずれか一方に関する情報を含む時間信号（ＴＳＩ）を受信し、前記時間信号（ＴＳＩ）に基づいて、一つ以上のマスク音信号（ＭＳ.１、ＭＳ.２、ＭＳ.３、ＭＳ.４）を生成するように構成されていることを特徴とする請求項１〜１１のいずれか１項に記載の音声再生装置。
【請求項１３】
前記マスク音生成部（９）は、サウンド生成エンジン（ＥＧ）のオペレーションパラメータに関する情報を含むエンジン信号（ＥＳＩ）を受信し、前記エンジン信号（ＥＳＩ）に基づいて、一つ以上のマスク音信号（ＭＳ.１、ＭＳ.２、ＭＳ.３、ＭＳ.４）を生成するように構成されていることを特徴とする請求項１〜１２のいずれか１項に記載の音声再生装置。
【請求項１４】
前記音声再生装置（１）は、クリア音声ゾーン（ＣＳＺ）における人の位置および向きの少なくともいずれか一方のトラッキング、および、音声マスキング・ゾーン（ＭＳＺ）における人の位置および向きの少なくともいずれか一方のトラッキング、の少なくともいずれか一方をするトラッキング装置（１４）を備え、前記トラッキング装置（１４）は、クリア音声ゾーン（ＣＳＺ）における人の位置および向きの少なくともいずれか一方、および、音声マスキング・ゾーン（ＭＳＺ）における人の位置および向きの少なくともいずれか一方、の少なくともいずれか一方を含むトラッキング信号（ＴＲＳ）を生成するように構成されており、前記音声処理モジュール（２）は、前記トラッキング信号（ＴＲＳ）を受信し、前記トラッキング信号（ＴＲＳ）に基づいて、一つ以上のマスク音スピーカ信号（Ｍ.１、Ｍ.２・・・・Ｍ.ｍ）を生成するように構成されていることを特徴とする請求項１〜１３のいずれか１項に記載の音声再生装置。
【請求項１５】
前記マスク音スピーカ信号生成部（１０）は、マスク音（ＭＮ）が音声マスキング・ゾーン（ＭＳＺ）内の音声（ＳＰ）と同じ空間キューを有するような複数のマスク音スピーカ信号（ＭＳＩ.１、ＭＳＩ.２）を生成するように構成されていることを特徴とする請求項１〜１４のいずれか１項に記載の音声再生装置。
【請求項１６】
前記音声再生装置（１）は、音声マスキング・ゾーン（ＭＳＺ）に割り当てられた一つ以上のマイク（１５.１、１５.２）を含み、各マイク（１５.１，１５.２）は、マイク信号（ＭＳＩ.１、ＭＳＩ.２）を生成することを特徴とする請求項１〜１５のいずれか１項に記載の音声再生装置。
【請求項１７】
前記マイク信号（ＭＳＩ.１、ＭＳＩ.２）のうちの少なくとも二つのマイク信号（ＭＳＩ.１、ＭＳＩ.２）がマスク音スピーカ信号生成部（１０）に供給され、前記マスク音スピーカ信号生成部（１０）は、少なくとも二つのマイク信号（ＭＳＩ.１、ＭＳＩ.２）に基づいて、前記音声マスキング・ゾーン（ＭＳＺ）内の音声（ＳＰ）の空間キューを判定するように構成されていることを特徴とする請求項１５または１６に記載の音声再生装置。
【請求項１８】
前記マイク信号（ＭＳＩ.１、ＭＳＩ.２）のうちの少なくとも一つのマイク信号（ＭＳＩ.２）がマスク音生成部（９）に供給され、前記マスク音生成部（９）は、少なくとも一つのマイク信号（ＭＳＩ.１、ＭＳＩ.２）に基づいて、一つ以上のマスク音信号（ＭＳ.１、ＭＳ.２、ＭＳ.３、ＭＳ.４）を生成するように構成されていることを特徴とする請求項１６または１７に記載の音声再生装置。
【請求項１９】
前記マスク音生成部（９）は、一つ以上の室内インパルス応答に基づいて、一つ以上のマスク音信号（ＭＳ.１、ＭＳ.２、ＭＳ.３、ＭＳ.４）を生成する、一つ以上の室内インパルス応答に基づいて、複数の音声スピーカ（４.１・・・４.ｎ）のセット（３）からクリア音声ゾーン（ＣＳＺ）までの一つ以上の伝達関数を生成する、一つ以上の室内インパルス応答に基づいて、複数のマスク音スピーカ（６.１、６.２・・・６.ｍ）のセット（５）からクリア音声ゾーン（ＣＳＺ）までの一つ以上の伝達関数を生成する、一つ以上の室内インパルス応答に基づいて、複数の音声スピーカ（４.１・・・４.ｎ）のセット（３）から音声マスキング・ゾーン（ＭＳＺ）までの一つ以上の伝達関数を生成する、および、複数のマスク音スピーカ（６.１、６.２・・・６.ｍ）のセット（５）からマスキングされた音声ゾーン（ＭＳＺ）までの一つ以上の伝達関数を生成する、のうち少なくともいずれか一つを行うように構成されていることを特徴とする請求項１〜１８のいずれか１項に記載の音声再生装置。
【請求項２０】
受信した音声信号（ＳＰＳ）に基づいて再生された音声（ＳＰ）が、クリア音声ゾーン（ＣＳＺ）で理解可能であり、音声マスキング・ゾーン（ＭＳＺ）では理解不能となるように、音声（ＳＰ）の再生方法であって、
音声処理モジュール（２）によって前記音声信号（ＳＰＳ）を受信し、
複数の音声スピーカ（４.１・・・４.ｎ）のセット（３）によって、一つ以上の音声スピーカ信号（Ｓ.１・・・Ｓ.ｎ）に基づいて音声（ＳＰ）を再生し、
複数宇野マスク音スピーカ（６.１、６.２・・・６.ｍ）のセット（５）によって、一つ以上のマスク音スピーカ信号に基づいて、前記音声マスキング・ゾーン（ＭＳＺ）における音声（ＳＰ）をマスクするマスク音（ＭＮ）を生成し、
前記音声処理モジュール（２）の音声スピーカ信号生成部（７）によって、音声信号（ＳＰＳ）に基づいて一つ以上の音声スピーカ信号（Ｓ.１・・・Ｓ.ｎ）を生成し、
前記音声処理モジュール（２）の音声信号解析モジュール（８）によって、前記音声信号（ＳＰＳ）のスペクトル的および時間的の少なくともいずれか一方の特性に基づいて、一つ以上の解析信号（ＡＳ）を生成し、
前記音声処理モジュール（２）のマスク音生成部（９）によって、前記一つ以上の解析信号（ＡＳ）に基づいて、一つ以上のマスク音信号（ＭＳ.１、ＭＳ.２、ＭＳ.３、ＭＳ.４）を生成し、
前記音声処理モジュール（２）のマスク音スピーカ信号生成部（１０）によって、前記一つ以上のマスク音信号（ＭＳ.１、ＭＳ.２、ＭＳ.３、ＭＳ.４）に基づいて、一つ以上のマスク音スピーカ信号（Ｍ.１、Ｍ.２・・・・Ｍ.ｍ）を生成することを特徴とする音声（ＳＰ）の再生方法。
【請求項２１】
プロセッサ上で動作することにより請求項２０に記載の方法を実行するコンピュータプログラム。
【発明の詳細な説明】
【技術分野】
【０００１】
本発明は、音声の再生および再生された音声のマスキングに関する。音声マスキングの応用例として、以下の三つの例が挙げられる。
１．共有オフィス空間において、各従業員が、他人の電話または直接の会話を理解することにより、割り当てられた業務に対する気が散る可能性がある。この場合、音声マスキング・システムは、音声の理解を妨害することにより作業の快適性を向上させることができる。さらに、会話内容の機密保持が必要である場合、音声マスキング・システムが機密保持の補助となりうる（音声プライバシーが向上する）。
２．車内において、指定ドライバとの間に物理的な障壁のない車両で機密の会話をする可能性がある。この場合、主な目的は会話の機密を保つことであり、ドライバの快適性は気が散らない限り重要ではない。
３．診療所において、受付係とのハンズフリー通信を可能にする装置が設置されている場合がある。緊急の場合、他の患者が居るにも関わらず前記装置を用いて患者の詳細の伝達が必要となる場合がある。その場合、機密確保のために音声マスキング・システムが使用できる。その場にいる患者は、医者の絶対的な守秘義務を認識しているため、このようなマスキングを了承しうる。
【背景技術】
【０００２】
作業の快適性を向上する音声マスキング・システムは本技術分野で周知のものである。しかし、前記音声マスキング・システムは、音声プライバシーの提供については非効率的である。既存の音声マスキング・システムの殆どは主に作業の快適性を高めることを目的としているが、音声プライバシーについては二次的なものと考えられている。
【０００３】
通信機器により再生された音響場面のみを考慮すると、前記再生はビームフォーミング、又は、マルチゾーン再生によるクリア音声ゾーンに制限される。しかし、必要とされる拡声器を数多く用意しなければ、このようなシステムでは、音声マスキング・ゾーンにおいて達成される絶対音圧レベルが依然人間の聴力閾値より上であるため、充分なレベルの音声プライバシーを得ることができない。アクティブ・ノイズ・キャンセリング／コントロールの手法についても同様であり、再生された信号のみならずローカルの人間の音声までキャンセルされる可能性がある。さらに、これらの手法は複数のマイクの使用を必要とし、適応性を有するフィルタが必要であることが課題となっている［４］。結局、アクティブノイズコントロールは、換気ダクトなどの低周波数音源や簡素な場面でのみの有効活用にとどまっている［４］。
【０００４】
広く利用されている方法は、音声（マスキー）と区別（知覚的な区別）ができないマスク音（マスカー）を生成することにより、当該マスク音の存在下で音声の理解を阻害するというものである。ある種のマスカー音が特定のエリアで再生されるため、このようなシステムにおいてサウンドマスキングという用語が用いられている。手法としては、空調のような背景ノイズを再現することである。このノイズは音声と重なることにより理解しにくくする。このようなマスキングは、非常に大きなマスク音を再生することにより可能となるが、サウンドマスキング技術では、聴きやすいマスカーをできるだけ低い音量レベルで使用することを目指している。
【０００５】
よくホワイトノイズ、または、ピンクノイズが利用されているが、低い再生レベルでは音声プライバシーを確保できるほどに効果的な音声マスキングができない。誘導雑音のマスキング効果を高める従来の方法を以下に要約する。
文献［１２］において著者は、文献から風や波の音のように目立たない性質と周波数帯を持つ音は音声プライバシーの確保に適していると引用している。前記文書はまた、音源の位置が聴取者によって局部化されていれば、音がより侵入的になると述べている。場面によっては、マスキング・ノイズの均一な局部化できない分布が好ましいことが知られている。したがって、文献［１２］では、複数の無相関ノイズ源を使用して、拡散され、均一で、局部化されていない音空間を生成することが提案されている。
【０００６】
マスク音のレベルは、周辺環境の特性またはマスキングされるべき話者の声に合わせて変化することが好ましいことがわかっている（例えば［１０］、［５］参照）。また、レベル適応（ｌｅｖｅｌ  ａｄａｐｔｉｏｎ）に加えて、マスカーのスペクトル特性の自動適応が行われるのがよいことが知られている（例えば［１１］、［５］参照）。これに関して、文献［６］には、「望ましくない音を時間ブロックに分割し、周波数スペクトルおよび出力レベルを推定し、これに合ったスペクトルと出力レベルのホワイトノイズを連続的に生成して望ましくない音をマスキングする適応サウンドマスキング・システムおよび方法」が提案されている。
【０００７】
他の応用では、特に音声を良好にマスクできる特定のノイズを成形したり［９］、「音源（人の会話）の特性に近い」マスキング・ノイズを生成したりする［１０］。特に音声を理解不能にすることを目的とする後者の方法においては、人工的に会話に近似するマスク音を生成するか、または、データベースからのランダムに連続する発話を再生することが提案されている（例えば［１０］、［２］参照）。文献［１０］では、マスク音が気にならないように会話音が使用されている。しかし、例えば運転手のように前記音に晒されている者にとっては邪魔になり得る。
【０００８】
音声プライバシー確保する別の方法は、例えば、意図された場所の対象音声を消去するキャンセル信号を生成することである。日本特許出願［７］には、このような車両キャビン用の音声プライバシー保護装置が開示されている。これによると、会話を捉えて、当該会話が聞かれるべきではない位置に打ち消し音が送られる。
【０００９】
場合によっては、マスキング・ノイズは話者周囲広域で再生されるか、または、話者自身の近くで生成される（［１０］、［３］参照）］、または、（更に）物理的な手段［８］によって領域が分けられる。
【００１０】
異なるカテゴリーのマスク音（効果音、音楽、会話音）を個別にまたは組み合わせて再生し、ユーザーによってレベル調整を行うＣｈａｔｔｅｒ  Ｂｌｏｃｋｅｒ［１］という応用がある。この応用では、再生デバイス（例えば、タブレット）の内蔵スピーカー、または、再生デバイスに接続された外部スピーカーが使用される。
【００１１】
本発明の目的は、音声再生および再生音声のマスキングについて改善された概念を提供することである。
【発明の概要】
【課題を解決するための手段】
【００１２】
上記目的を達成すべく、受信した音声信号に基づいて再生された音声が、クリア音声ゾーンで理解可能であり、音声マスキング・ゾーンでは理解不能となるように、音声ＳＰを再生するように構成された音声再生装置であって、
音声信号を受信する音声処理モジュールと、
一個以上の音声スピーカ信号に基づいて音声を再生する複数の音声スピーカのセットと、
一つ以上のマスク音スピーカ信号に基づいて、音声マスキング・ゾーンにおける音声をマスキングするマスク音を生成する複数のマスク音スピーカのセットとを備え、
前記音声処理モジュールは、前記音声信号に基づいて一つ以上の音声スピーカ信号を生成する音声スピーカ信号生成部を備え、
前記音声処理モジュールは、前記音声信号のスペクトルおよび／または時間的特性に基づいて、一つ以上の解析信号を生成する音声信号解析モジュールを備え、
前記音声処理モジュールは、前記一つ以上の解析信号に基づいて、一つ以上のマスク音信号を生成するマスク音生成部を備え、
前記音声処理モジュールは、前記一つ以上のマスク音信号に基づいて、一つ以上のマスク音スピーカ信号を生成するマスク音スピーカ信号生成部を備えている。
【００１３】
前記「複数の音声スピーカのセット」とは、音声を再生可能な一つ以上のスピーカーのことである。これに類似して、前記「複数のマスク音スピーカのセット」とは、マスク音を生成可能な一つ以上のスピーカーのことである。しかしながら、一般的に、前記複数の音声スピーカのセットは複数のマスク音スピーカのセットから分離されており、各スピーカは前記複数の音声スピーカのセットまたは前記複数のマスク音スピーカのセットに属し、両セットに属することはない。その結果、前記音声スピーカは、当該音声スピーカによって再生される音声を、主に前記クリア音声ゾーンに向けられる位置に配置可能であり、一方、前記マスク音スピーカは、音声スピーカによって生成されたマスク音を主に音声マスキング・ゾーンに向けられる位置に配置可能である。
【００１４】
本発明は意図されない傍聴者（盗聴者と称されることもある。以下傍聴者と称す）に対して音声を理解不能にする一方、異なる位置の意図される聴取者に対しては理解可能にするための、改善された概念を提供する。
【００１５】
再生された音声を、クリア音声ゾーンと呼ばれる所定の領域内において理解可能にすることが検討されている。同時に、再生された音声は、音声マスキング・ゾーンと呼ばれる別の所定領域内では理解不能とならなければならず、両方のゾーンは近接していることがある。これは、意図した聴取者近傍に、傍聴者が存在することが避けられない場合に望ましい。
【００１６】
音声の理解は、クリア音声ゾーン内またはその近傍で生成される音声（マスキー）の特性に適応させて生成されるマスク音（マスカー）によって阻害できる。つまり、「マスキー」は、マスキングされなければならない音声を示している。マスク音は、音声マスキング・ゾーン内またはその近傍で再生される。
【００１７】
前記音声スピーカ信号生成部はレンダラを備えていてもよい。同様に、前記マスク音スピーカ信号生成部はレンダラを備えていてもよい。
【００１８】
関連する技術とは対称的に、ここに記載される本概念の目的は、存在する一人以上の話者の音声をマスキングすることではなく、例えば、ハンズフリー通信機器等によって再生された音声であって、前記ハンズフリー通信機器が受信した遠端信号に基づいて再生された音声をマスキングすることである。
【００１９】
本発明では、従業員の周辺環境の作業快適性の向上よりは、音声プライバシーの確保を目的としている。（意図して、または、意図せずに）話者近傍の人が、会話を把握したり、会話の中身を理解できなければ、音声プライバシーが確保されていることになる。これは、遠端側が潜在的な盗聴者を把握できないハンズフリー通話では、特に重要となる。
【００２０】
本発明には、マスキング・ノイズ生成部の通信機器等の音声再生装置への最適な統合も含まれる。以下の点が考慮されている。
・マスキング・ノイズ生成部への必要な情報の提供
・主に所定のクリア音声ゾーンにおける、クリア音声信号の再生
・主に所定の音声マスキング・ゾーンにおける、マスク・ノイズの再生
【００２１】
前記マスキング・ノイズ生成部に必要な情報を提供するために、受信された音声信号は再生前に、音声再生装置によって直接監視される。
【００２２】
本発明によれば、前記マスク音は入力される音声信号に適応させられる。したがって、前記音声信号は、音声スピーカーによって音声に変換される前に、音声信号解析モジュールによって直接解析される。これとは対照的に、従来技術の解決法では、マイクを使用して音声を信号に変換してから解析を行う。
【００２３】
本発明によれば、再生された音声に対するマスク音の適応を改善案が提供される。これは時間的な観点から、入力される音声信号の解析を最終的に音声が再生される前に行うことが可能であり、前記マスク音の適応を事前に行うことができるからである。これとは対照的に、再生された音声の解析にマイクからの信号を利用する従来技術の解決方法では、マスク音に対する適応が可能となるのは事後のみである。従って、前記音声マスキング・ゾーンにおいて音声が理解不能となるように、低音量で気にならないマスク音が生成可能となる。
【００２４】
「目立たない」および「気にならない」という表現の区別について以下の点に留意されたい。従来の音声マスキング・システムにおいて、「気にならない」という用語は、「目立たない」と解釈することもできる。つまり、聴取者は均一なマスカーに慣れ、暫く後には無視するようになる。ここでは、マスカーは無視できないほど明らかであるため、「目立たない」ではなく、「快適で、気を散らさない」という意味の「気にならない」ということである。
【００２５】
マスキングは、意図した聴取者には気にならず快適なものとなり、傍聴者にとっては担当している作業が邪魔されないものとなるように行われる。したがって、上述したように気にならず効果的なマスク音の生成が可能となることは、本発明のさらなる利点である。
【００２６】
本概念の場合、ローカライズ可能なマスク音は、傍聴者のメインの作業が邪魔されなければ重要ではない。マスク音は「目立たない」ものになる必要はなく、常時ＯＮである必要はない（即ち、機密性のある会話が行われていない場合、マスク音はＯＦＦにされていてもよい）。電話または会話が行われているとき（そのようなときにのみ）、会話を隠すマスク音が聞こえることは傍聴者に理解されている。
【００２７】
従って、意図されている聴取者および傍聴者の双方が、会話をマスキングする手段の存在を容認していれば、双方が目立つマスク音も容認するであろう。
【００２８】
本発明による音声マスキングは、マスキングに非常に大音量のマスク音の再生を伴うこともある音波の正確な相殺を要しないため、上述のノイズ・キャンセリング・システムの制限を受けない。代わりに、音声信号のトーン、スペクトル、および、瞬間的な構造に依存する人の音声認識を阻害することを目的としている。一般的に、マスク音にもトーン、スペクトル、または、瞬間的な構造（またはそれらの組み合わせ）がある。マスカーは、傍聴者の位置において、マスキーに重畳することにより等価信号となり、音声の識別可能な特徴を除去するように生成することができる。また、重畳によって、音声の識別可能な特徴が、音声の特徴を充分にぼやかす程度のマスク音を伴って現れるようにマスカーを用いてもよい。後者の場合、マスク信号の選択においてある程度の自由度が可能となり容易に実現可能である。いずれの場合も、低音量で、適切なマスク音が可能となる。
【００２９】
本発明によれば、傍聴者が自身の主な作業から気を散らすことのないような（例えば、運転手が運転に集中できるような）、気にならないマスク音を使って音声を理解不能にする概念が提供される（事実、会話を聴くよりも、快適なマスカー音を聴いてるほうが気が散りにくい。このようなシステムは、交通安全の改善に有用である）。
【００３０】
好ましい利用場面は車内である。この場合、車内の特定の条件（例えば、聴取者、傍聴者、スピーカの空間的位置、再生空間の音響等）をよく把握できている。したがって、それに応じて異なる複数の処理ステップを適応させることができる。これは、汎用マスキング・システムと比較して有利な点である。
【００３１】
車環境を例にとると、運転手（傍聴者）が運転から注意をそらされないことが重要となる。上記のような、ローカライズ可能なサウンドステージ（例えば、運転手の前方）は、まったく邪魔にならない。
【００３２】
しかし、本発明は上記のような車環境に限定されない。
【００３３】
本発明の好ましい実施形態によれば、音声スピーカ信号生成部は、音声の空間キューを制御するために、複数の音声スピーカ信号を生成し、前記複数の音声スピーカ信号のうちの各音声スピーカ信号の特性を独立して制御する。音声スピーカ信号の制御される特性は、特に、各音声スピーカ信号のレベルおよび／または時間遅延を含んでいてもよい。
【００３４】
本発明の好ましい実施形態によれば、マスク音スピーカ信号生成部は、マスク音の空間キューを制御するために、複数のマスク音スピーカ信号を生成し、前記複数のマスク音スピーカ信号の各マスク音スピーカ信号の特性を独立して制御する。マスク音スピーカ信号の制御される特性は、特に、各マスク音スピーカ信号のレベルおよび／または時間遅延を含んでいてもよい。
【００３５】
上記構成によれば、空間音声再生技術を利用して、音声マスキング・システムの音声スピーカ側およびマスク音スピーカ側に対する効果を高めることが可能となる。
【００３６】
空間音声再生手段は、クリア音声ゾーンにおいて音声のレベルを上げ、同時に、音声マスキング・ゾーンにおいて音声のレベルを下げることができる。マスク音については上記の逆となる。上記効果を得ることのできる手法としては、
・ビームフォーミング
・マルチゾーン再生
・スピーカの適切な配置（各ゾーンの聴取者近傍であることが望ましい）がある。
【００３７】
話者近傍において、マスク音スピーカとして音声スピーカを利用することは、従来技術において公知であるが良い選択肢ではない。この場合、マスク音は、クリア音声ゾーンにおいて最高強度となるので望ましくない。したがって、マスク音が主に音声マスキング・ゾーンにおいて再生されるように、前記音声マスキング・ゾーン内または近傍に、音声スピーカ以外のマスク音スピーカを配置してもよい。
【００３８】
本発明の好ましい実施形態によれば、前記マスク音生成部は、未処理のマスク音信号を供給するように構成された複数のマスク音源と、複数の未処理マスク音信号適応モジュールとを備え、前記複数の未処理マスク音信号適応モジュールは、それぞれ一つの前記マスク音源に割り当てられており、前記割り当てられた未処理マスク音信号適応モジュールは、一つ以上のマスク音信号のうちの一つのマスク音信号を生成するために、解析信号に基づいて、それぞれのマスク音源の前記未処理のマスク音信号を適応させるように構成されている。
【００３９】
本発明の上記態様はマスキング・ノイズ生成部を含む。本実施形態のマスキング・ノイズ生成部は、従来技術と比較して、マスク音を生成する複数の信号源をミックスを使用する点で異なり、ミックスされたマスク音は音声信号を解析することにより得られるパラメータたによってリアルタイムで適応させられる。
【００４０】
本発明の好ましい実施形態によれば、少なくとも一つのマスク音源は、未処理のミュージック・マスク音信号を供給するように構成されたミュージック・ソースを備え、前記割り当てられた未処理マスク音信号適応モジュールは、一つ以上のマスク音信号のうちの一つのマスク音信号を生成するために、解析信号に基づいて、前記未処理のミュージック・マスク音信号を適応させるように構成されている。
【００４１】
本発明の好ましい実施形態によれば、少なくとも一つのマスク音源は、未処理の連続ノイズ・マスク音信号を供給するように構成された連続ノイズ・ソースを備え、前記割り当てられた未処理マスク音信号適応モジュールは、一つ以上のマスク音信号のうちの一つのマスク音信号を生成するために、解析信号に基づいて、前記未処理の連続ノイズ・マスク音信号を適応させるように構成されている。
【００４２】
本発明の好ましい実施形態によれば、少なくとも一つのマスク音源は、未処理のダイナミック・ノイズ・マスク音信号を供給するように構成されたダイナミック・ノイズ・ソースを備え、前記割り当てられた未処理マスク音信号適応モジュールは、一つ以上のマスク音信号のうちの一つを生成するために、解析信号に基づいて、前記未処理のダイナミック・ノイズ・マスク音信号を適応させるように構成されている。
【００４３】
これにより、音声をマスキングすると同時に、気を散らすことのない、リラックスできる音としてのマスク音が生成される。最新技術に対する本発明の概念による利点は、互いに異なる特性を有する複数の異なるマスク音信号を用いて、現状に自動的にリアルタイムで適応させたマスク音が生成可能という点である。複数のマスク音信号は異なる特性を有するため、それぞれが特定の目的を達成するように適用される（例えば、海岸の音でマスク音の基礎を作り、迅速にノイズフィルタを音声信号に適応させて音声の重要な部分をマスキングし、音楽によってマスク音が不愉快なものにならないようにする）。現在の状況に対するマスク音信号を個別に適応させることにより、マスク音が不安定な音とは認識されることなく（例：ミュージック・マスク音信号の制限された範囲内での、よりゆっくりとした時間定数での適応）、音声に瞬時に反応（例：ノイズ・マスク信号の迅速な適応）することが可能になる。
【００４４】
異なる音声の特徴は、それに応じた異なるタイプのノイズによって最も効果的に相殺できるので、本発明の概念は最新の技術よりも効果的である。この有効性の一部を盛り込むことにより、あまり気にならないマスク音が生成可能となる。本発明では、以下の点が考慮されている。
・適切な複数のマスク信号の組み合わせの決定、
・前記複数のマスク信号の取得または生成、
・ミキシングのパラメータを決定するための情報または使用予測の取得、
・複数のマスク信号の適応。
【００４５】
マスク信号は効果的になればなるほど、気になるものとなってくる。マスク信号の特性の急な変化についても同様のことが言える。本発明では以下のタイプの音を使用するのが好ましい。
・従来技術において既知であり、とりわけ本発明のソース信号を構成するランダム・ノイズ従来技術で公知の通り、前記ランダム・ノイズのスペクトル包絡線は、マスキング能力が最適化できるように成形可能である。前記ランダム・ノイズはマスキングに非常に有効であるが、気になる音であることが知られている。
・現実の世界で知覚される音響場面の音である自然ノイズ海岸、滝、通り、乗り物エンジン近傍、レストラン、雑踏などが挙げられるが、これらに限定されない。自然ノイズは人にとって既知であるため、ランダム・ノイズより気にならない。しかし、自然ノイズの特性は一定では無いため、マスキング能力も時間とともに変化する。
・一般的に快適なものと認識されるがマスキング能力はどちらかと言うと低いミュージック信号また、快適性を維持するためにミュージック信号（例：音量）はゆっくりとしか変化させることができない。また、ミュージック信号もまた一定ではなく、自然ノイズと同様の問題を抱えている。しかし、ノイズ（自然ノイズまたはランダム・ノイズ）を組み合わせれば効果的になりうる。
【００４６】
上述したタイプの信号は、未処理マスク音信号適応モジュールによって以下の方法で取得することが可能である。
・特性が事前に把握されている信号が与えられた、録音からの読み取り後者の点については、後から最適な適応に利用することが可能である。
・モジュールによって人為的に生成ランダム・ノイズ信号の場合、これは通常、疑似ランダム・ノイズである。自然ノイズの場合、ノイズ特性を定義することができる。これにより、制御できない（一定ではない）記録された信号の限界を克服することができる。このような、「自然」ノイズ生成部は、外部データ・ソースを利用して任意の場面によくフィットさせることができる。例えば、車内での場面において、エンジン回転数に鑑みて完全にフィットするエンジン・ノイズを真似てもよい。
・マイクでのリアルタイムな測定（例えば、車のノイズ増幅用）
・（例えば、波や風の様な）快適なマスキング・ノイズの生成。音声マスキングに特化したサウンド生成部によってリアルタイムで生成することができる。さらに、異なる話者や会話スタイルの特性に（スペクトル・シフトおよび／またはゲインによるスペクトルの形成によって）適応させることが可能である。
・同様のことがミュージックにも当てはまり、適切なアルゴリズムによってリアルタイムで自動的に作曲することも可能である。
・また、予め録音されたミュージックやノイズを使用してもよい（短いループで充分な場合もある）。
マスク音にミックスされた全信号は、いずれもマスキング対象の音声に合わせて個別に適応させられてもよい。開発時にマスク信号それぞれの有効性や顕著性を表すパラメータを定義しておき、それらをコスト関数に合わせて最適化してもよい。意図された聴取者が、マスキング・ノイズによって不快な思いをしないことが重要である。これは、意図された聴取者の位置ではクリアな音声が支配的になり、クリアな音声のアクティビティ（ａｃｔｉｖｉｔｙ）とマスク音とが強く相関するため、マスク音を音声に対して動的に適応させることにより、ある程度達成可能である。
【００４７】
受信した音声信号に対して最良のマスキングを行うようにマスク信号を適応させる方法は以下を含む。
・マスカーの以下の特性によって抑制可能であるマスキーの音色構造を認識することマスキーの音色構造とは異なる音色構造前記音色構造は無作為のもの（例：ミュージカル・ノイズ）であってもよく、定められたもの（例：録音されたミュージック）であってもよい。
・マスク音の以下の特性によって抑制可能であるマスキーのスペクトル構造を認識することユニモーダルな、または、フラット・スペクトルが認識されるようにマスク音とマスキング対象音との重畳におけるスペクトルギャップを補うこと、及び、マスキーのスペクトル構造を不明瞭にする明確な空間構造を有すること。
・マスク音の以下の特性によって抑制可能であるマスキーの一時的な構造を認識することマスキーとは異なる一時的な構造を持つこと、マスカーにおける過渡現象の発生頻度が、マスキーに適応可能である一方、実際のトリガーはマスキーとは独立していること、及び、傍聴者をさらに混乱させるために、マスカーに無作為で一時的な構造を生成すること。
【００４８】
本発明の好ましい実施形態によれば、前記音声処理モジュールは、音声信号に基づいて適応音声信号を供給するように構成された適応音声処理モジュールを備え、前記音声スピーカ信号生成部は、前記適応音声信号に基づいて、一つ以上の音声スピーカ信号を生成するように構成されている。
【００４９】
音声再生装置内でのアクセスを拡張することにより、マスキー（クリア音声信号）を修正してマスキングが容易に可能となる。これを達成する方法としては以下のものが含まれる。
【００５０】
・充分にマスキング可能な周波数への帯域制限。
【００５１】
・マスキング・ノイズ生成部に、マスキング・ノイズが適宜適応するための時間を与える遅延。前記遅延によって、マスキング・ノイズを、マスキング対象の信号が再生される前に適応させることが可能になる。これは心理音響学で知られている前方マスキング効果（ｆｏｒｗａｒｄ  ｍａｓｋｉｎｇ  ｅｆｆｅｃｔｓ）を活用する方法である。しかし、前記遅延は通信相手に認識されない程度の充分に短いものでなければならない。
・マスキングが特に困難なクリアな音声信号の過渡現象の処置、減衰、抑制。上記方法は、聴取者の理解を妨げないように注意が必要となる。
・例えば、ダイナミック・プロセッサ（例：コンプレッサ）を用いた、レベル変化の削減。これはまた、最適なマスク音の変化を削減し、マスク音を快適なものにする。
【００５２】
本発明の好ましい実施形態によれば、前記音声処理モジュールは、複数の音声スピーカのセットの構成、および／または、複数のマスク音スピーカのセットの構成に関する情報を含む構成信号を受信するように構成されている。
【００５３】
これにより、音声処理モジュールは異なるスピーカ構成に適応することが可能となる。前記構成信号は、音声スピーカ信号生成部、マスク音スピーカ信号生成部、および／または、マスク音生成部によって使用されてもよく、特に未処理マスク音信号適応モジュールによって使用されてもよい。
【００５４】
前記マスク音は音声信号を解析することにより得られるパラメータたによってリアルタイムで適応させられてもよい。また、以下に述べる情報源を更に利用してもよい。
【００５５】
マスカーを適応させるためのメイン情報源は、マスキングされる信号（マスキー）である。前記情報源には測定信号が伴っていてもよい。因果関係から、過去と現在の信号特性が直接考慮される。しかしながら、スペクトル包絡線が、数十ミリ秒の期間に対してある程度予測可能であることは、音声符号化で知られている。このような予測によって、マスクされる音の予測される特性にマスク音を適応させることができる。また、マスク音をより快適なものとするために、ゆっくりと／滑らかにマスク音を適応させることが可能となる。尚、上記方法はクリア音声の再生を遅らせる方法に対する代替案である。
【００５６】
第二の情報源は、ユーザによって設定される、マスク度を調整可能にするパラメータであってもよい。軽微な程度のプライバシーが望まれる場合は、殆ど気にならないマスク音を選択してもよい。一方、音声内容が気密であり、たった一言でも傍聴者に聞かれてはならない場合、前記処理をこのような状況に適応させることができる。このような場合、聴取者および傍聴者の双方は、マスカーが目立つようなものであっても許容するであろう。
【００５７】
また、傍聴者に、自身の好みに合わせてマスク音を調整できるように（例えば、異なるマスク用ミュージックを選択できるように）、制限付きでサウンド処理装置へのアクセスを許可することも可能である。重要なことは、変更を適用する際に音声が理解可能となる期間があってはならないということである。したがって、すべての楽曲・音楽の種類が音声のマスキングに効果的であるとは限らないので、利用可能な楽曲を予め選択しておく必要がある。
【００５８】
本発明の好ましい実施形態によれば、前記マスク音生成部は、天気条件に関する情報を含む天気信号を受信し、前記天気信号に基づいて、一つ以上のマスク音信号を生成するように構成されている。
【００５９】
天気センサは、雨センサまたは風速センサであってもよく、実際の天気に鑑みてマスキング・ノイズ（例えば、雨のようなマスク音、または、風のようなマスク音）を生成してもよい。
【００６０】
本発明の好ましい実施形態によれば、前記マスク音生成部は、光条件に関する情報を含む光条件信号を受信し、前記光条件信号に基づいて、一つ以上のマスク音信号を生成するように構成されている。
【００６１】
本発明の好ましい実施形態によれば、前記マスク音生成部は、日付および／または時間に関する情報を含む時間信号を受信し、前記時間信号に基づいて、一つ以上のマスク音信号を生成するように構成されている。
【００６２】
光条件信号、具体的には光センサから受信した光条件信号は、具体的には日中の周囲の光条件に自然にフィットするマスク音を生成するために使用可能であり、これによりマスク音がより気にならなくなる。同様のことが時間信号、具体的にはデジタル・クロックから受信される時間信号でも達成可能である。
【００６３】
本発明の好ましい実施形態によれば、前記マスク音生成部は、サウンド生成エンジンのオペレーション・パラメータに関する情報を含むエンジン信号を受信し、前記エンジン信号に基づいて、一つ以上のマスク音信号を生成するように構成されている。
【００６４】
具体的には、車内において、エンジンから集められたデータは人為的なノイズ生成用のパラメータとして利用できる。この概念は、他の輸送手段または、装置近傍に固定エンジンがある場合にも利用できる。
【００６５】
本発明の好ましい実施形態によれば、前記音声再生装置は、クリア音声ゾーンにおける人の位置および／または向きをトラッキング、および／または、音声マスキング・ゾーンにおける人の位置および／または向きをトラッキングするトラッキング装置を備え、前記トラッキング装置は、クリア音声ゾーンにおける人の位置および／または向き、および／または、音声マスキング・ゾーンにおける人の位置および／または向きを含むトラッキング信号を生成するように構成されており、前記音声処理モジュールは、前記トラッキング信号を受信し、前記トラッキング信号に基づいて、一つ以上のマスク音スピーカ信号を生成する用に構成されている。
【００６６】
トラッキングシステムは、話者や傍聴者の位置や向きに関する情報をリアルタイムで提供することができる。前記情報は例えば、話者と傍聴者が互いに近づいたときや、傍聴者が音声をよく聴くように頭の向きを変えたりしたときに、マスキングレベルを増加させるために利用できる。
【００６７】
本発明の好ましい実施形態によれば、前記マスク音スピーカ信号生成部は、マスク音が音声マスキング・ゾーン内の音声と同じ空間キュー（ｓｐａｔｉａｌ  ｃｕｅｓ）を有するようなマスク音スピーカ信号を生成するように構成される。
【００６８】
本発明の好ましい実施形態によれば、前記音声再生装置は、クリア音声ゾーン、および／または、音声マスキング・ゾーンに割り当てられた一つ以上のマイクを含み、各マイクは、マイク信号を生成する。
【００６９】
音声信号解析モジュールによって集められた情報は、クリア音声ゾーン内またはその近傍、および／または、音声マスキング・ゾーン内またはその近傍に配置されたマイクによって計測された信号によってサポートされてもよい。この場合、音声マスキング・ゾーンで観測されるマスキー信号に基づいてマスカーを変更するために、音声マスキング・ゾーンにマイクを追加してもよい。
【００７０】
本発明の好ましい実施形態によれば、前記マイク信号のうちの少なくとも二つのマイク信号がマスク音スピーカ信号生成部に供給され、前記マスク音スピーカ信号生成部は、少なくとも二つのマイク信号に基づいて、前記音声マスキング・ゾーン内の音声の空間キューを判定するように構成されている。
【００７１】
マスキーの到達の方向を判定し、この情報に基づいて、例えば、マスキーおよびマスカーが同様の空間キューを有するようにマスク音スピーカ信号生成部を制御する目的で、少なくとも二つのマイクを前記音声マスキング・ゾーン内またはその近傍に配置してもよい。
【００７２】
上記特徴により、本発明は任意で空間を再現する手段を利用してもよく、これにより音声マスキング・ゾーンに到達した望ましくないクリア音声信号と類似する空間特性（特にソースの方向、および、支配的な反射方向）を示すマスク音を、音声マスキング・ゾーンにおいて再生できる。また、マスク音とマスク対象の音声とが、傍聴者の空間聴覚によって区別されるのを防止できる。
【００７３】
本発明の好ましい実施形態によれば、前記マイク信号のうちの少なくとも一つのマイク信号がマスク音生成部に供給され、前記マスク音生成部は、少なくとも一つのマイク信号に基づいて、一つ以上のマスク音信号を生成するように構成されている。
【００７４】
上記実施形態において、音声マスキング・ゾーンで観測される音声に基づいてマスカーを変更するために、音声マスキング・ゾーン内またはその近傍にマイクを追加してもよい。
【００７５】
本発明の好ましい実施形態によれば、前記マスク音生成部は、一つ以上の室内インパルス応答に基づいて、一つ以上のマスク音信号を生成し、および／または、一つ以上の室内インパルス応答に基づいて、複数の音声スピーカのセットからクリア音声ゾーンまでの一つ以上の伝達関数を生成し、および／または、一つ以上の室内インパルス応答に基づいて、複数のマスク音スピーカのセットからクリア音声ゾーンまでの一つ以上の伝達関数を生成し、および／または、一つ以上の室内インパルス応答に基づいて、複数の音声スピーカのセットから音声マスキング・ゾーンまでの一つ以上の伝達関数を生成し、および／または、複数のマスク音スピーカのセットから音声マスキング・ゾーンまでの一つ以上の伝達関数を生成するように構成されている。
【００７６】
追加のマイクを利用して、クリア音声およびマスキング・ノイズの再生システムから、クリア音声ゾーンおよび音声マスキング・ゾーン（四つの経路すべて）までの室内インパルス応答／音響伝達関数を計測して、両ゾーンでの実際に再生される音響場面の推定値を向上させてもよい。前記推定値は、マスク音の適応処理に利用できる。
【００７７】
本発明の別の態様は、受信した音声信号に基づいて再生された音声が、クリア音声ゾーンで理解可能であり、音声マスキング・ゾーンでは理解不能となるように、音声を再生する方法であって、前記方法は
音声処理モジュールによって前記音声信号を受信し、
複数の音声スピーカのセットによって、一つ以上の音声スピーカ信号に基づいて音声を再生し、
複数のマスク音スピーカのセットによって、一つ以上のマスク音スピーカ信号に基づいて、前記音声マスキング・ゾーンにおける音声をマスクするマスク音を再生し、
前記音声処理モジュールの音声スピーカ信号生成部によって、音声信号に基づいて一つ以上の音声スピーカ信号を生成し、
前記音声処理モジュールの音声信号解析モジュールによって、前記音声信号のスペクトルおよび／または時間的特性に基づいて、一つ以上の解析信号を生成し、前記音声処理モジュールのマスク音生成部によって、前記一つ以上の解析信号に基づいて、一つ以上のマスク音信号を生成し、
前記音声処理モジュールのマスク音スピーカ信号生成部によって、前記一つ以上のマスク音信号に基づいて、一つ以上のマスク音スピーカ信号を生成する。
【００７８】
プロセッサ上で動作することにより本発明の方法を実行するためのコンピュータプログラム。
【図面の簡単な説明】
【００７９】
本発明の好ましい実施形態は、添付の図面を参照し以下に説明される。
【図１】本発明による音声再生装置の第一実施形態を示す概略図である。
【図２】本発明の第二実施形態の音声再生装置を示す概略図である。
【図３】本発明の第三実施形態の音声再生装置を示す概略図である。
【図４】本発明の第四実施形態の音声再生装置を示す概略図である。
【発明を実施するための形態】
【００８０】
本実施形態の装置および方法は以下に記載する通りである。
【００８１】
いくつかの態様は装置として記載されているが、これらの態様を対応する方法の記載として、装置のブロックや要素が方法のステップや方法のステップの特徴に対応するように記載できることは明白である。同様に、方法のステップとして記載された態様を、対応する装置の対応するブロック、要素、特徴として表すこともできる。
【００８２】
図１は、本発明による音声再生装置１の第一実施形態を示す概略図である。音声再生装置１は、受信した音声信号ＳＰＳに基づいて再生された音声ＳＰが、クリア音声ゾーンＣＳＺで理解可能であり、音声マスキング・ゾーンＭＳＺでは理解不能となるように、音声ＳＰを再生するように構成されている。音声再生システム１は、
音声信号ＳＰＳを受信する音声処理モジュール２と、
一個以上の音声スピーカ信号Ｓに基づいて音声ＳＰを再生する複数の音声スピーカ４のセット３と、
一つ以上のマスク音スピーカ信号Ｍ.１、Ｍ.２、・・・、Ｍｍに基づいて、音声マスキング・ゾーンＭＳＺにおけるスピーチＳＰをマスキングするマスク音ＭＮを生成する複数のマスク音スピーカ６のセット５とを備え、
前記音声処理モジュール２は、前記音声信号ＳＰＳに基づいて一つ以上の音声スピーカ信号Ｓ.１・・・Ｓ.ｎを生成する音声スピーカ信号生成部７を備え、
前記音声処理モジュール２は、前記音声信号ＳＰＳのスペクトルおよび／または時間的特性に基づいて、一つ以上の解析信号ＡＳを生成する音声信号解析モジュール８を備え、
前記音声処理モジュール２は、前記一つ以上の解析信号ＡＳに基づいて、一つ以上のマスク音信号ＭＳ.１、ＭＳ.２、ＭＳ.３、ＭＳ.４を生成するマスク音生成部９を備え、
前記音声処理モジュール２は、前記一つ以上のマスク音信号ＭＳに基づいて、一つ以上のマスク音スピーカ信号Ｍ.１、Ｍ.２・・・・Ｍ.ｍを生成するマスク音スピーカ信号生成部１０を備えている。
【００８３】
本発明の好ましい実施形態によれば、音声スピーカ信号生成部７は、音声ＳＰの空間キューを制御するために、複数の音声スピーカ信号Ｓ.１・・・Ｓ.ｎを生成し、前記複数の音声スピーカ信号Ｓ.１・・・Ｓ.ｎのうちの各音声スピーカ信号Ｓ.１・・・Ｓ.ｎの特性を独立して制御する。音声スピーカ信号Ｓ.１・・・Ｓ.ｎの制御される特性は、特に、各音声スピーカ信号Ｓ.１・・・Ｓ.ｎのレベルおよび／または時間遅延を含んでいてもよい。
【００８４】
本発明の好ましい実施形態によれば、マスク音スピーカ信号生成部１０は、マスク音ＭＮの空間キューを制御するために、複数のマスク音スピーカ信号Ｍ.１、Ｍ.２・・・Ｍ.ｍを生成し、前記複数のマスク音スピーカ信号Ｍ.１、Ｍ.２・・・Ｍ.ｍの各マスク音スピーカ信号Ｍ.１、Ｍ.２・・・Ｍ.ｍの特性を独立して制御する。マスク音スピーカ信号Ｍ.１、Ｍ.２・・・Ｍ.ｍの制御される特性は、特に、各マスク音スピーカ信号Ｍ.１、Ｍ.２・・・Ｍ.ｍのレベルおよび／または時間遅延を含んでいてもよい。
【００８５】
本発明の別の態様は、受信した音声信号ＳＰＳに基づいて再生された音声ＳＰが、クリア音声ゾーンＣＳＺで理解可能であり、音声マスキング・ゾーンＭＳＺでは理解不能となるように、音声ＳＰを生成する方法であって、前記方法は音声処理モジュール２によって前記音声信号ＳＰＳを受信し、
複数の音声スピーカ４.１・・・・４.ｎのセット３によって、一つ以上の音声スピーカ信号Ｓ.１・・・Ｓ.ｎに基づいて音声ＳＰを生成し、
複数のマスク音スピーカ６.１、６.２・・・６.ｍのセット５によって、一つ以上のマスク音スピーカ信号に基づいて、前記音声マスキング・ゾーンＭＳＺにおける音声ＳＰをマスクするマスク音ＭＮを生成し、
前記音声処理モジュール２の音声スピーカ信号生成部７によって、音声信号ＳＰＳに基づいて一つ以上の音声スピーカ信号Ｓ.１・・・Ｓ.ｎを生成し、
前記音声処理モジュール２の音声信号解析モジュール８によって、前記音声信号ＳＰＳのスペクトルおよび／または時間的特性に基づいて、一つ以上の解析信号ＡＳを生成し、
前記音声処理モジュール２のマスク音生成部９によって、前記一つ以上の解析信号ＡＳに基づいて、一つ以上のマスク音信号ＭＳ.１、ＭＳ.２、ＭＳ.３、ＭＳ.４を生成し、
前記音声処理モジュール２のマスク音スピーカ信号生成部１０によって、前記一つ以上のマスク音信号ＭＳ.１、ＭＳ.２、ＭＳ.３、ＭＳ.４に基づいて、一つ以上のマスク音スピーカ信号Ｍ.１、Ｍ.２・・・・Ｍ.ｍを生成する。
【００８６】
本発明のさらに別の態様によれば、プロセッサ上で動作することにより本発明の方法を実行するためのコンピュータプログラムが提供される。
【００８７】
図２は、本発明の第二実施形態の音声再生装置を示す概略図である。
【００８８】
本発明の好ましい実施形態によれば、前記マスク音生成部９は、未処理のマスク音信号ＲＭＳ.１、ＲＭＳ.２、ＲＭＳ.３、ＲＭＳ.４を供給するように構成された複数のマスク音源１１.１、１１.２、１１.３、１１.４と、複数の未処理マスク音信号適応モジュール１２.１、１２.２、１２.３、１２.４とを備え、前記未処理マスク音信号適応モジュール１２.１、１２.２、１２.３、１２.４は、それぞれ一つの前記マスク音源１１.１、１１.２、１１.３、１１.４に割り当てられており、前記割り当てられた未処理マスク音信号適応モジュール１２.１、１２.２、１２.３、１２.４は、一つ以上のマスク音信号ＭＳ.１、ＭＳ.２、ＭＳ.３、ＭＳ.４のうちの一つを生成するために、解析信号ＡＳに基づいて、マスク音源１１.１、１１.２、１１.３、１１.４の未処理マスク音信号ＲＭＳ.１、ＲＭＳ.２、ＲＭＳ.３、ＲＭＳ.４を適応させるように構成されている。
【００８９】
本発明の好ましい実施形態によれば、少なくとも一つのマスク音源１１.１、１１.２、１１.３、１１.４は、未処理のミュージック・マスク音信号ＲＭＳ.１を供給するように構成されたミュージック・ソース１１.１を備え、前記割り当てられた未処理マスク音信号適応モジュール１２.１は、一つ以上のマスク音信号ＭＳ.１、ＭＳ.２、ＭＳ.３、ＭＳ.４のうちの一つのマスク音信号ＭＳ.１を生成するために、解析信号ＡＳに基づいて、前記未処理のミュージック・マスク音信号ＲＭＳ.１を適応させるように構成されている。
【００９０】
本発明の好ましい実施形態によれば、少なくとも一つのマスク音源１１.１、１１.２、１１.３、１１.４は、未処理の連続ノイズ・マスク音信号ＲＭＳ.２を供給するように構成された連続ノイズ・ソース１１.２を備え、前記割り当てられた未処理マスク音信号適応モジュール１２.２は、一つ以上のマスク音信号ＭＳ.１、ＭＳ.２、ＭＳ.３、ＭＳ.４のうちの一つのマスク音信号ＭＳ.２を生成するために、解析信号ＡＳに基づいて、前記未処理の連続ノイズ・マスク音信号ＲＭＳ.２を適応させるように構成されている。
【００９１】
本発明の好ましい実施形態によれば、少なくとも一つのマスク音源１１.１、１１.２、１１.３、１１.４は、未処理のダイナミック・ノイズ・マスク音信号ＲＭＳ.３を供給するように構成されたダイナミック・ノイズ・ソース１１.３を備え、前記割り当てられた未処理マスク音信号適応モジュール１２.３は、一つ以上のマスク音信号ＭＳ.１、ＭＳ.２、ＭＳ.３、ＭＳ.４のうちの一つのマスク音信号ＭＳ.３を生成するために、解析信号ＡＳに基づいて、前記未処理のダイナミック・ノイズ・マスク音信号ＲＭＳ.３を適応させるように構成されている。
【００９２】
本発明の好ましい実施形態によれば、前記音声処理モジュール２は、音声信号ＳＰＳに基づいて適応音声信号ＡＳＰＳを供給するように構成された適応音声処理モジュール１３を備え、前記音声スピーカ信号生成部７は、前記適応音声信号ＡＳＡＰに基づいて、一つ以上の音声スピーカ信号Ｓ.１・・・Ｓ.ｎを生成するように構成されている。
【００９３】
本発明の好ましい実施形態によれば、前記音声処理モジュール２は、複数の音声スピーカ４.１・・・４.ｎのセット３の構成、および／または、複数のマスク音スピーカ６.１、６.２・・・６.ｍのセット５の構成に関する情報を含む構成信号ＳＩを受信するように構成されている。
【００９４】
図２によれば、再生される音声信号ＳＰＳは、例えば遠距離通信リンクを介して受信され、スピーカ４.１・・・４.ｎによって、クリア音声ゾーンＣＳＺ内または近傍で、容易に理解できるレベルで再生される。同時に、マスク音ＭＮは、音声マスキング・ゾーンＭＳＺにおいて、再生された音声が音声マスキング・ゾーンＭＳＺ内の人に理解不能となるように再生される。
【００９５】
処理ステージ２は、受信される音声信号ＳＰＳを解析する音声信号解析モジュール８を備えている。分析結果ＡＳは、ミュージック、連続ノイズおよびダイナミックノイズの三つの異なるマスキング構成要素に対する個別の適応処理ブロック１２.１、１２.２、１２.３に供給される。ミュージックおよび連続ノイズの未処理マスク音（例えば、海岸での収録音）は、記憶装置１１.１および１１.２から再生され、ダイナミックノイズはシンセサイザ１１.３によってリアルタイムで生成されてもよい。音声信号解析モジュール８での解析結果によって、ミュージックおよびノイズ信号１１.１、１１.２、１１.３の特性が、良好なマスカーＭＮを提供できるように適応される。個々の適応処理ブロック１２.１、１２.２、１２.３は、モノ信号、または、特定の多重チャンネル効果を可能にする多重チャンネル信号を出力可能である。処理されたミュージックおよびノイズ信号ＭＳ.１、ＭＳ.２、ＭＳ.３は、続いてマスク音スピーカ信号生成部１０によってミックスされ、充分なマスク音スピーカ信号Ｍ.１、Ｍ.２・・・Ｍ.ｎが生成されて、マスク音スピーカ６.１、６.２・・・６.ｍに供給される。構成情報は、適応処理、ミキシング、および、レンダリングにおいて把握されていることで、マスキング効果を得る、特性（例えば、空間位置、周波数特性、変換器特性、等）の最良の利用を可能にする。
【００９６】
前記解析では、音声ＳＰの知覚音圧の推定値（純粋にエネルギーに基づいていてもよい）が計算される。ミュージック信号ＭＳ.１およびノイズ信号ＭＳ.２、ＭＳ.３は、音圧が音声ＳＰ（マスキー）に相対的に変化するように連続的に適応される。この処理において、三つの成分全てに対して、異なる適応定数（ａｄａｐｔｉｏｎ−ｃｏｎｓｔａｎｔｓ）が使用される。ダイナミックノイズは、音声ＳＰの急速な変化に対応して迅速に適応してマスキングを行うが、連続ノイズおよびミュージック信号ＭＳ.１およびＭＳ.２は、快適性を維持するように、時間をかけたゆっくりとした変化に適応する。ミュージックやダイナミックノイズには最低レベルが設定され、音声が途切れた際にゼロとならないように設定されている（マスク音の音圧はゼロになる）。これにより、音の認識がより快適なものとなる。
【００９７】
図３は、本発明の第三実施形態の音声再生装置を示す概略図である。
【００９８】
前述の実施形態の第一の変形例では、適応音声処理モジュール１３によって、音声信号ＳＰＳに対してさらに追加の適応処理を行う。適応音声信号ＡＳＰＳは、クリア音声ゾーンＣＳＺにおける音声ＳＰの生成に使用される。さらに、本実施形態では、二つの異なるマスク成分ＭＳ.１、ＭＳ.４（すなわち、ミュージックおよびノイズ）のみが使用される。
【００９９】
図４は、本発明の第四実施形態の音声再生装置を示す概略図である。
【０１００】
本発明の好ましい実施形態によれば、前記マスク音生成部９は、天気条件に関する情報を含む天気信号ＷＳＩを受信し、前記天気信号ＷＳＩに基づいて、一つ以上のマスク音信号ＭＳ.１、ＭＳ.２、ＭＳ.３、ＭＳ.４を生成するように構成されている。
【０１０１】
本発明の好ましい実施形態によれば、前記マスク音生成部９は、光条件に関する情報を含む光条件信号ＬＳＩを受信し、前記光条件信号ＬＳＩに基づいて、一つ以上のマスク音信号ＭＳ.１、ＭＳ.２、ＭＳ.３、ＭＳ.４を生成するように構成されている。
【０１０２】
本発明の好ましい実施形態によれば、前記マスク音生成部９は、日付および／または時間に関する情報を含む時間信号ＴＳＩを受信し、前記時間信号ＴＳＩに基づいて、一つ以上のマスク音信号ＭＳ.１、ＭＳ.２、ＭＳ.３、ＭＳ.４を生成するように構成されている。
【０１０３】
本発明の好ましい実施形態によれば、前記マスク音生成部９は、サウンド生成エンジンＥＧのオペレーションパラメータに関する情報を含むエンジン信号ＥＳＩを受信し、前記エンジン信号ＥＳＩに基づいて、一つ以上のマスク音信号ＭＳ.１、ＭＳ.２、ＭＳ.３、ＭＳ.４を生成するように構成されている。
【０１０４】
本発明の好ましい実施形態によれば、前記音声再生装置１は、クリア音声ゾーンＣＳＺにおける人の位置および／または向きをトラッキング、および／または、音声マスキング・ゾーンＭＳＺにおける人の位置および／または向きをトラッキングするトラッキング装置１４を備え、トラッキング装置１４は、クリア音声ゾーンＣＳＺにおける人の位置および／または向き、および／または、音声マスキング・ゾーンＭＳＺにおける人の位置および／または向きを含むトラッキング信号ＴＲＳを生成するように構成されており、音声処理モジュール２は、前記トラッキング信号ＴＲＳを受信し、前記トラッキング信号ＴＲＳに基づいて、一つ以上のマスク音スピーカ信号Ｍ.１、Ｍ.２・・・・Ｍ.ｍを生成する用に構成されている。
【０１０５】
本発明の好ましい実施形態によれば、マスク音スピーカ信号生成部１０は、マスク音ＭＮが音声マスキング・ゾーンＭＳＺ内の音声ＳＰと同じ空間キューを有するようなマスク音スピーカ信号ＭＳＩ.１、ＭＳＩ.２を生成するように構成されている。
【０１０６】
本発明の好ましい実施形態によれば、音声再生装置１は、音声マスキング・ゾーンＭＳＺに割り当てられた一つ以上のマイク１５.１、１５.２を含み、各マイク１５.１，１５.２は、マイク信号ＭＳＩ.１、ＭＳＩ.２を生成する。
【０１０７】
本発明の好ましい実施形態によれば、前記マイク信号ＭＳＩ.１、ＭＳＩ.２のうちの少なくとも二つのマイク信号ＭＳＩ.１、ＭＳＩ.２がマスク音スピーカ信号生成部１０に供給され、マスク音スピーカ信号生成部１０は、少なくとも二つのマイク信号ＭＳＩ.１、ＭＳＩ.２に基づいて、前記音声マスキング・ゾーンＭＳＺ内の音声ＳＰの空間キューを判定するように構成されている。
【０１０８】
本発明の好ましい実施形態によれば、前記マイク信号ＭＳＩ.１、ＭＳＩ.２のうちの少なくとも一つのマイク信号ＭＳＩ.２がマスク音生成部９に供給され、マスク音生成部９は、少なくとも一つのマイク信号ＭＳＩ.１、ＭＳＩ.２に基づいて、一つ以上のマスク音信号ＭＳ.１、ＭＳ.２、ＭＳ.３、ＭＳ.４を生成するように構成されている。
【０１０９】
本発明の好ましい実施形態によれば、マスク音生成部９は、一つ以上の室内インパルス応答に基づいて、一つ以上のマスク音信号ＭＳ.１、ＭＳ.２、ＭＳ.３、ＭＳ.４を生成し、および／または、一つ以上の室内インパルス応答に基づいて、音声スピーカ４.１・・・４.ｎのセット３からクリア音声ゾーンＣＳＺまでの一つ以上の伝達関数を生成し、および／または、一つ以上の室内インパルス応答に基づいて、マスク音スピーカ６.１、６.２・・・６.ｍのセット５からクリア音声ゾーンＣＳＺまでの一つ以上の伝達関数を生成し、および／または、一つ以上の室内インパルス応答に基づいて、音声スピーカ４.１・・・４.ｎのセット３から音声マスキング・ゾーンＭＳＺまでの一つ以上の伝達関数を生成し、および／または、マスク音スピーカ６.１、６.２・・・６.ｍのセット５から音声マスキング・ゾーンＭＳＺまでの一つ以上の伝達関数を生成するように構成されている。
【０１１０】
実施の際の要求に応じて、本発明の実施形態はハードウェア内またはソフトウェア内で実施可能である。電子的に読み取り可能に制御信号を記録したフロッピーディスク、ＤＶＤ、ＣＤ、ＲＯＭ、ＰＲＯＭ、ＥＰＲＯＭ、ＥＥＰＲＯＭ、フラッシュメモリ等であって、各方法を実行するようにプログラム可能なコンピュータシステムと協働するまたは協働可能な、デジタル記録媒体を用いて、前記の実施を実行してもよい。
【０１１１】
本発明の実施形態のいくつかは、前記方法の一つが実行されるようにプログラム可能なコンピュータシステムと協働可能で、電子的に読み取り可能な制御信号を含む、データキャリアを含む。
【０１１２】
一般的に、本発明の実施形態は、プログラムコードを有するコンピュータプログラム製品として実施可能である。プログラムコードは、コンピュータプログラム製品がコンピュータ上で実行される際に、本明細書の方法の一つが実行されるように動作する。前記プログラムコードは、例えば、機械可読なキャリアに記録される。
【０１１３】
他の実施形態は、本明細書の方法の一つを実行する、機械可読なキャリアまたは固定の記憶媒体に記録されたコンピュータプログラムを有する。
【０１１４】
言い換えると、本発明の方法の一実施形態は、コンピュータ上で実行される際に、本明細書の方法の一つを実行するプログラムコードを含むコンピュータプログラムである。
【０１１５】
本発明の方法の別の実施形態は、本明細書の方法の一つを実行するコンピュータプログラムを記録したデータキャリア（またはデジタル記録媒体またはコンピュータ読み取り可能な媒体）である。
【０１１６】
本発明の方法の別の実施形態は、本明細書の方法の一つを実行するコンピュータプログラムを表すデータストリームまたは信号列である。前記データストリームまたは信号列は、例えば、インターネット等のデータ通信接続を通じて伝送可能に構成される。
【０１１７】
別の実施形態は、本明細書の方法の一つを実行するように構成または設けられた、例えばコンピュータやプログラム可能な論理デバイスなどの処理手段を有する。
【０１１８】
他の実施形態は、本明細書の方法の一つを実行するためのコンピュータプログラムがインストールされたコンピュータを有する。
【０１１９】
実施形態によっては、（例えばフィールドプログラマブルゲートアレイのような）プログラム可能な論理デバイスが、本明細書の方法のいくつかまたは全ての機能を実行するために用いられてもよい。実施形態によっては、フィールドプログラマブルゲートアレイは、本明細書の方法の一つを実行するためのマイクロプロセッサと協働してもよい。一般的に、前記方法はハードウェア装置によって好適に実行される。
【０１２０】
以上、幾つかの実施形態を参照して本発明を説明したが、本発明の範囲に該当する種々の変更、置換、および、等価が存在する。本発明の方法および構成を実施には、多くの別の方法があることにも留意すべきである。したがって、以下に記載する特許請求の範囲は、本発明の真の精神および範囲に該当する変更、置換、および、等価物のすべてを含むものとして解釈されることを意図している。
【符号の説明】
【０１２１】
１  音声再生装置
２  音声処理モジュール
３  複数の音声スピーカのセット
４  音声スピーカ
５  複数のマスク音スピーカのセット
６  マスク音スピーカ
７  音声スピーカ信号生成部
８  音声信号解析モジュール
９  マスク音生成部
１０  マスク音スピーカ信号生成部
１１  マスク音源
１２  未処理マスク音信号適応モジュール
１３  適応音声処理モジュール
１４  トラッキング装置
１５  マイク
ＳＰ  音声
ＳＰＳ  音声信号
ＣＳＺ  クリア音声ゾーン
ＭＳＺ  音声マスキング・ゾーン
Ｓ  音声スピーカ信号
ＭＮ  マスク音
Ｍ  マスク音スピーカ信号
ＡＳ  解析信号
ＭＳ  マスク音信号
ＲＭＳ  未処理マスク音信号
ＳＩ  構成情報信号
ＡＳＰＳ  適応音声信号
ＷＳＩ  天気信号
ＷＳ  天気センサ
ＬＳＩ  光条件信号
ＬＳ  光センサ
ＴＳＩ  時間信号
ＴＳ  時間信号発生器
ＴＲＳ  トラッキング信号
ＭＳＩ  マイク信号
ＥＳＩ  エンジン信号
ＥＧ  エンジン
【参考文献】
【０１２２】
［１］Ｃｈａｔｔｅｒｂｌｏｃｋｅｒ  ｓｏｆｔｗａｒｅ：  ｗｗｗ．ｃｈａｔｔｅｒｂｌｏｃｋｅｒ．ｃｏｍ．
［２］Ｂａｂａｋ  Ａｒｖａｎａｇｈｉ  ａｎｄ  Ｊｏｅｌ  Ｆｅｃｈｔｅｒ：Ｍｅｔｈｏｄ  ａｎｄ  ａｐｐａｒａｔｕｓ  ｆｏｒ  ｍａｓｋｉｎｇ  ｓｐｅｅｃｈ  ｉｎ  ａ  ｐｒｉｖａｔｅ  ｅｎｖｉｒｏｎｍｅｎｔ．米国特許出願：ＵＳ２０１３／０１８５０６１，２０１３．
［３］Ｒｏｂｅｒｔ  Ｂａｉｌｅｙ，  Ｌａｗｒｅｎｃｅ  Ｈｅｙｌ，  ａｎｄ  Ｓｔｅｐｈａｎ  Ｓｃｈｅｌｌ：Ｓｙｓｔｅｍｓ  ａｎｄ  ｍｅｔｈｏｄｓ  ｆｏｒ  ａｌｔｅｒｉｎｇ  ｓｐｅｅｃｈ  ｄｕｒｉｎｇ  ｃｅｌｌｕｌａｒ  ｐｈｏｎｅ  ｕｓｅ．米国特許出願：ＵＳ２００９／０１７１６７０，２００９．
［４］Ｓｔｅｐｈｅｎ  Ｊ．  Ｅｌｌｉｏｔｔ  ａｎｄ  Ｐｈｉｌｉｐ  Ａ．  Ｎｅｌｓｏｎ：Ａｃｔｉｖｅ  ｎｏｉｓｅ  ｃｏｎｔｒｏｌ．Ｉｎ：Ｓｉｇｎａｌ  Ｐｒｏｃｅｓｓｉｎｇ  Ｍａｇａｚｉｎｅ，  ＩＥＥＥ，  １０（４）：１２−３５，  １９９３．
［５］Ａｎｄｒｅ  Ｌ．  Ｅｓｐｅｒａｎｃｅ  ａｎｄ  Ａｌｅｘ  Ｂｏｕｄｒｅａｕ：Ａｕｔｏ−ａｄｊｕｓｔｉｎｇ  ｓｏｕｎｄ  ｍａｓｋｉｎｇ  ｓｙｓｔｅｍ  ａｎｄ  ｍｅｔｈｏｄ．米国特許出願：ＵＳ７４６０６７５，２００８．
［６］Ｒａｆｉｋ  Ｇｏｕｂｒａｎ  ａｎｄ  Ｒａｄａｍｉｓ  Ｂｏｔｒｏｓ：Ａｄａｐｔｉｖｅ  ｓｏｕｎｄ  ｍａｓｋｉｎｇ  ｓｙｓｔｅｍ  ａｎｄ  ｍｅｔｈｏｄ．米国特許出願：ＵＳ２００３／０１０３６３２，２００３．
［７］Ｎａｋａｍｕｒａ  Ｉｋｕｙａ  ａｎｄ  Ｏｇｉｗａｒａ  Ｔａｋａｓｈｉ：Ｓｐｅｅｃｈ  ｐｒｉｖａｃｙ  ｐｒｏｔｅｃｔｉｖｅ  ｄｅｖｉｃｅ．日本特許出願：ＪＰ３３７７２２０、ＪＰ５０１１７８０，１９９１．
［８］Ｍａｉ  Ｋｏｉｋｅ，  Ｙａｓｕｓｈｉ  Ｓｈｉｍｉｚｕ，  Ｍａｓａｔｏ  Ｈａｔａ  ａｎｄ  Ｔａｋａｓｈｉ  Ｙａｍａｋａｗａ：Ｍａｓｋｅｒ  ｓｏｕｎｄ  ｇｅｎｅｒａｔｉｏｎ  ａｐｐａｒａｔｕｓ  ａｎｄ  ｐｒｏｇｒａｍ．米国特許出願：ＵＳ２０１１／０１８２４３８  Ａ１，２０１１．
［９］Ｋｅｎｎｅｔｈ  Ｐ．  Ｒｏｙ，  Ｔｈｏｍａｓ  Ｊ．  Ｊｏｈｎｓｏｎ，  Ｒｏｎａｌｄ  Ｆｕｌｌｅｒ  ａｎｄ  Ｓｔｅｖｅ  Ｄｏｖｅ：Ａｒｃｈｉｔｅｃｔｕｒａｌ  ｓｏｕｎｄ  ｅｎｈａｎｃｅｍｅｎｔ  ｗｉｔｈ  ｐｒｅ−ｆｉｌｔｅｒｅｄ  ｍａｓｋｉｎｇ  ｓｏｕｎｄ．米国特許：ＵＳ７５４８８５４，２００９．
［１０］Ｊｅｆｆｒｅｙ  Ｓｐｅｃｈｔ，  Ｄａｎｉｅｌ  Ｍａｐｅｓ−Ｒｉｏｒｄａｎ，  ａｎｄ  Ｗｉｌｌｉａｍ  ＤｅＫｒｕｉｆ：Ｍｅｔｈｏｄ  ａｎｄ  ａｐｐａｒａｔｕｓ  ｏｆ  ｏｖｅｒｌａｐｐｉｎｇ  ａｎｄ  ｓｕｍｍｉｎｇ  ｓｐｅｅｃｈ  ｆｏｒ  ａｎ  ｏｕｔｐｕｔ  ｔｈａｔ  ｄｉｓｒｕｐｔｓ  ｓｐｅｅｃｈ．米国特許：ＵＳ７３７６．５５７，２００８．
［１１］Ｒｉｃｈａｒｄ  Ｏ．  Ｔｈｏｍａｌｌａ：Ａｕｔｏｍａｔｉｃ  ｖｏｌｕｍｅ  ａｎｄ  ｆｒｅｑｕｅｎｃｙ  ｃｏｎｔｒｏｌｌｅｄ  ｓｏｕｎｄ  ｍａｓｋｉｎｇ  ｓｙｓｔｅｍ．米国特許：ＵＳ４４３８５２６，１９８４．
［１２］Ｂｉｌｌ  Ｇ．  Ｗａｔｔｅｒｓ，  Ｍｉｃｈａｅｌ  Ｎａｃｅｙ  ａｎｄ  Ｔｈｏｍａｓ  Ｒ．  Ｈｏｒｒａｌｌ：Ｐｒｏｃｅｓｓ  ａｎｄ  ａｐｐａｒａｔｕｓ  ｆｏｒ  ｓｐｅｅｃｈ  ｐｒｉｖａｃｙ  ｉｍｐｒｏｖｅｍｅｎｔ  ｔｈｒｏｕｇｈ  ｉｎｃｏｈｅｒｅｎｔ  ｍａｓｋｉｎｇ  ｎｏｉｓｅ  ｓｏｕｎｄ  ｇｅｎｅｒａｔｉｏｎ  ｉｎ  ｏｐｅｎ−ｐｌａｎ  ｏｆｆｉｃｅ  ｓｐａｃｅｓ  ａｎｄ  ｔｈｅ  ｌｉｋｅ．米国特許：ＵＳ４０５９７２６，１９７７．
【図１】
2018506080.tif 000003
【図２】
2018506080.tif 000004
【図３】
2018506080.tif 000005
【図４】
2018506080.tif 000006
【国際調査報告】
2018506080.tif 000007
2018506080.tif 000008
2018506080.tif 000009